(57)【要約】【課題】本発明は電解コンデンサの振動を抑制することを課題とする。【解決手段】取付構造１０は、電解コンデンサ１４，１５の上部が固定される上ベース２２と、電解コンデンサ１４，１５の下部が固定される下ベース２４と、上ベース２２及び下ベース２４の両端を保持する側壁１７，１８とからなる。上ベース２２は、電解コンデンサ１４，１５の上方に横架された状態で側壁１７，１８の内面に固定される。上ベース２２は、左右の両端を梁２６，２７に載置させた状態で取付ボルト３０，３１により締結される。下ベース２４は、電解コンデンサ１４，１５の下方に横架された状態で両端が取付ボルト３２，３３により側壁１７，１８の内面に固定される。また、電解コンデンサ１４，１５の下端は、取付金具３４，３５を介して下ベース２４に固定される。電解コンデンサ１４，１５は、上端及び下端が上ベース２２と下ベース２４によって強固に挟持される。【選択図】　　　　図１
2004111725.tif 000002
【特許請求の範囲】
【請求項１】
筐体の内部に収納される電解コンデンサの取付構造において、
前記電解コンデンサの上端が固定される上ベースと、
前記電解コンデンサの下端が固定される下ベースと、
前記電解コンデンサの上端と下端を挟持した状態を保つように前記上ベースと前記下ベースとを保持する保持部材と、
を備えたことを特徴する電解コンデンサの取付構造。
【請求項２】
前記保持部材は、前記筐体の側壁であることを特徴する請求項１記載の電解コンデンサの取付構造。
【請求項３】
前記上ベース及び前記下ベースは、複数の電解コンデンサの上端と下端とを挟持することを特徴する請求項１記載の電解コンデンサの取付構造。
【請求項４】
前記上ベース及び前記下ベースは、複数の電解コンデンサの荷重に対して変形しないような肉厚を有することを特徴する請求項１記載の電解コンデンサの取付構造。
【発明の詳細な説明】
【０００１】
【発明の属する技術分野】
本発明は電解コンデンサの取付構造に係り、特にオーディオ用アンプに組み込まれる電解コンデンサを安定に保持するよう構成された電解コンデンサの取付構造に関する。
【０００２】
【従来の技術】
例えば、オーディオ用アンプでは、大容量の電解コンデンサを金属製の筐体に収納しており、電解コンデンサを電源としてレコード盤やＣＤ（コンパクトディスク）に記録された音楽の再生信号を増幅してスピーカへ出力している。
【０００３】
このようなオーディオ用アンプにおいては、より大きな出力を得るためには、より容量の大きい電解コンデンサを取り付ける必要がある。一般に電解コンデンサは、アルミ箔の表面に電解酸化によって酸化皮膜を形成し、これをロール状に巻いたものを円筒状のケース内に収納したものであり、さらにペースト状の電解質を含浸させる構成である。また、電解コンデンサでは、誘電体となる酸化皮膜が極めて薄いので、大容量となり、大きな音を再生するのに適している。
【０００４】
特に、高級ステレオなどに用いられるオーディオ用アンプでは、大容量の電解コンデンサが組み込まれており、電解コンデンサ自体も大型化している。このような大容量の電解コンデンサは、重量も重いため、底部が取付金具を介してフレームまたはブラケットに固定される。また、従来は、複数の電解コンデンサを取り付ける場合、電解コンデンサの上部に樹脂材により成形されたキャップを被せる構成として振動防止を図っている（例えば、特許文献１参照）。
【０００５】
【特許文献１】
実開昭５８−１７５６２３号公報（第１図、第３頁）。
【０００６】
【発明が解決しようとする課題】
しかしながら、従来の取付構造では、円柱状の電解コンデンサを直立させた状態で下部をフレームまたはブラケットに固定させる構成であるので、上部は樹脂製キャップが嵌合しているものの自由端となって振動しやすいという問題があった。
【０００７】
特に、高級ステレオなどに用いられるオーディオ用アンプでは、大容量の電解コンデンサが組み込まれるため、取付金具が強度不足になる場合があり、その場合には比較的大きな音が出力されると、電解コンデンサ自体が微小な振幅の振動を発生させるおそれがあり、音質の低下を招くおそれがあった。
【０００８】
そこで、本発明は上記課題を解決した電解コンデンサの取付構造を提供することを目的とする。
【０００９】
【課題を解決するための手段】
本発明は上記課題を解決するため、以下のような特徴を有する。
上記請求項１記載の発明は、筐体の内部に収納される電解コンデンサの取付構造において、電解コンデンサの上端が固定される上ベースと、電解コンデンサの下端が固定される下ベースと、電解コンデンサの上端と下端を挟持した状態を保つように上ベースと下ベースとを保持する保持部材と、を備えたものであり、電解コンデンサを上端及び下端を強固に挟持して電解コンデンサの振動を抑制することが可能になる。
【００１０】
また、請求項２記載の発明は、保持部材が筐体の側壁からなり、別箇に支柱を設ける必要がないので、構成の簡略化及びコンパクト化を図れる。
【００１１】
また、請求項３記載の発明は、上ベース及び下ベースが複数の電解コンデンサの上端と下端とを挟持するものであり、複数の電解コンデンサを強固に挟持して電解コンデンサ同士の共鳴を抑制することが可能になる。
【００１２】
また、請求項４記載の発明は、上ベース及び下ベースが複数の電解コンデンサの荷重に対して変形しないような肉厚を有するものであり、複数の電解コンデンサを強固に保持して電解コンデンサ自体の振動を抑制することが可能になる。
【００１３】
【発明の実施の形態】
以下、図面と共に本発明の一実施例について説明する。
図１は本発明になる電解コンデンサの取付構造の一実施例を示す正面縦断面図である。図２は図１に示す電解コンデンサの取付構造の平面図である。図３は図１に示す電解コンデンサの取付構造の側面図である。
【００１４】
図１乃至図３に示されるように、電解コンデンサの取付構造１０は、オーディオ用アンプの筐体１２の内部に一対の電解コンデンサ１４，１５を取り付けるように構成されている。本実施例では、一対の電解コンデンサ１４，１５が長方形状に形成された筐体１２の短辺側（Ｘ方向）に並列に配置されている。
【００１５】
筐体１２は、４方向に起立する側壁１７〜２０を箱型に組み合わせたものであり、上部開口が蓋部材（図示せず）によって閉塞される構成である。上記側壁１７〜２０は、例えば、厚さ約１０ｍｍを有するアルミニウム合金製等の金属板からなり、電解コンデンサ１４，１５の重量を支える際に変形が生じないように十分な強度を有する。
【００１６】
本実施例の取付構造１０は、電解コンデンサ１４，１５の上部が固定される上ベース２２と、電解コンデンサ１４，１５の下部が固定される下ベース２４と、電解コンデンサ１４，１５の両側に配置され上ベース２２及び下ベース２４の両端を保持する側壁１７，１８とからなる。
【００１７】
上ベース２２は、円柱形状に形成された電解コンデンサ１４，１５の上方に横架されるように側壁１７，１８の内面に固定される。また、電解コンデンサ１４，１５は、上端に＋電極端子１４ａ，１５ａと、−電極端子１４ｂ，１５ｂとが設けられている。＋電極端子１４ａ，１５ａ及び−電極端子１４ｂ，１５ｂは、ねじ込み式のボルトからなり、上ベース２２の取付孔２２ａ〜２２ｄに挿入されて電解コンデンサ１４，１５の上端を上ベース２２に固定する。
【００１８】
また、側壁１７，１８の内面には、上ベース２２の両端を支持する梁２６，２７がボルト２８，２９により締結されている。そして、上ベース２２は、左右の両端を梁２６，２７に載置させた状態で取付ボルト３０，３１により締結される。
【００１９】
下ベース２４は、電解コンデンサ１４，１５の下方に横架された状態で両端が取付ボルト３２，３３により側壁１７，１８の内面に固定される。また、電解コンデンサ１４，１５の下端は、取付金具３４，３５を介して下ベース２４に固定される。
【００２０】
取付金具３４，３５は、電解コンデンサ１４，１５の底部外周を挟持するベルト３４ａ，３５ａと、ベルト３４ａ，３５ａより１２０°間隔で下方に延在形成された脚部３４ｂ，３５ｂとを有する。脚部３４ｂ，３５ｂは、夫々取付ボルト３６，３７により下ベース２４に締結される。
【００２１】
このように、電解コンデンサ１４，１５は、上端及び下端が上ベース２２と下ベース２４によって上下方向（Ｚ方向）から強固に挟持されるため、振動が抑制される。これにより、オーディオ用アンプのように微小振動によるノイズが気になる場合でも電解コンデンサ１４，１５による振動を抑制して音質低下を防止できる。
【００２２】
さらに、一対の電解コンデンサ１４，１５が近接配置される場合でも、電解コンデンサ１４，１５のうち一方が振動して他方が共鳴することを防止して電解コンデンサ同士での干渉を防止する。
【００２３】
また、筐体１２の側壁１７，１８が電解コンデンサ１４，１５の上端と下端を挟持した状態を保つように上ベース２２と下ベース２４とを保持する保持部材として機能するため、別箇に支柱を設ける必要がないので、構成の簡略化及びコンパクト化を図ることが可能になる。
【００２４】
ここで、変形例について説明する。
図４は変形例１を示す正面縦断面図である。尚、図４において、上記実施例と同一部分には同一符号を付してその説明を省略する。
【００２５】
図４に示されるように、変形例１では、上記実施例の一対の電解コンデンサ１４と１５との間に隔壁４０を起立させる。この隔壁４０は、上端が上ベース２２から螺入された取付ボルト４１により締結され、下端が下ベース２４から螺入された取付ボルト４２により締結される。
【００２６】
これにより、隔壁４０は、上ベース２２と下ベース２４とを保持する保持部材として機能するため、電解コンデンサ１４，１５の上端と下端を挟持する上ベース２２と下ベース２４とをより強固に保持することが可能になり、電解コンデンサ１４，１５の振動をより確実に抑制することができる。
【００２７】
さらに、隔壁４０は、電解コンデンサ１４と１５との間に介在して空気層を介した微小振動の伝播も阻止することができ、これにより、電解コンデンサ１４，１５が微小振動で共鳴することを防止する。
図５は変形例２を示す側面縦断面図である。尚、図５において、上記実施例と同一部分には同一符号を付してその説明を省略する。
【００２８】
図５に示されるように、変形例２の上ベース２２及び下ベース２４は、左右方向（Ｘ方向）の両端部が側壁１７，１８に締結されると共に、Ｙ方向の端部も側壁２０に対して取付ボルト５１，５３の螺入により締結する。
【００２９】
さらに、変形例２では、電解コンデンサ１４，１５の背面側に保持部材５０が設けられている。この保持部材５０は、上端が上ベース２２から螺入された取付ボルト５２により締結され、下端が下ベース２４に螺入された取付ボルト５４により締結される。
【００３０】
これにより、上ベース２２及び下ベース２４は、４方向から強固に保持されることになり、より剛性が高められて電解コンデンサ１４，１５での微小振動の発生を抑制することが可能になる。
【００３１】
尚、上記実施例では、オーディオ用アンプに用いた構成を一例として挙げたが、これに限らず、他の電子機器に組み込まれる電解コンデンサの取付構造にも適用できるのは勿論である。
【００３２】
【発明の効果】
上述の如く、請求項１記載の発明によれば、筐体の内部に収納される電解コンデンサの取付構造において、電解コンデンサの上端が固定される上ベースと、電解コンデンサの下端が固定される下ベースと、電解コンデンサの上端と下端を挟持した状態を保つように上ベースと下ベースとを保持する保持部材と、を備えたため、電解コンデンサを上端及び下端を強固に挟持して電解コンデンサの振動を抑制することができる。これにより、オーディオ用アンプのように微小振動によるノイズが気になる場合でも電解コンデンサによる振動を抑制して音質低下を防止できる。
【００３３】
また、請求項２記載の発明によれば、保持部材が筐体の側壁からなるため、別箇に支柱を設ける必要がないので、構成の簡略化及びコンパクト化を図ることができる。
【００３４】
また、請求項３記載の発明によれば、上ベース及び下ベースが複数の電解コンデンサの上端と下端とを挟持するため、複数の電解コンデンサを強固に挟持して電解コンデンサ同士の共鳴を抑制することができる。
【００３５】
また、請求項４記載の発明によれば、上ベース及び下ベースが複数の電解コンデンサの荷重に対して変形しないような肉厚を有するため、複数の電解コンデンサを強固に保持して電解コンデンサ自体の振動を抑制することができる。
【図面の簡単な説明】
【図１】本発明になる電解コンデンサの取付構造の一実施例を示す正面縦断面図である。
【図２】図１に示す電解コンデンサの取付構造の平面図である。
【図３】図１に示す電解コンデンサの取付構造の側面図である。
【図４】変形例１を示す正面縦断面図である。
【図５】変形例２を示す側面縦断面図である。
【符号の説明】
１０　電解コンデンサの取付構造
１２　筐体
１４，１５　電解コンデンサ
１７〜２０　側壁
２２　上ベース
２４　下ベース
２６，２７　梁
２８，２９　ボルト
３０，３１　取付ボルト
３２，３３　取付ボルト
３４，３５　取付金具
４０　隔壁
５０　保持部材
【図１】
2004111725.tif 000003
【図２】
2004111725.tif 000004
【図３】
2004111725.tif 000005
【図４】
2004111725.tif 000006
【図５】
2004111725.tif 000007